(57)【要約】【課題】携帯電話機にメモリされている電話番号データやＷｅｂページから取得した位置情報に基づいてカーナビゲーションの目的地の自動設定を可能とする。【解決手段】携帯電話機１１とカーナビゲーション装置１２とが赤外線通信Ｒ１で接続されたシステムであって、カーナビゲーション装置１２は、携帯電話機１１から送信されてきた電話番号データに基づいてカーナビゲーションの目的地を設定する。すなわち、目的地の電話番号データを携帯電話機１１に予めメモリしておき、この携帯電話機１１をカーナビゲーション装置１２の近くに置くと、自動的に携帯電話機１１からカーナビゲーション装置１２へ赤外線通信Ｒ３により送信するように構成しておく。カーナビゲーション装置１２は、送信されてきた電話番号データに基づいて自動的に目的地を設定する。【選択図】  図１
2004294310.tif 000002
【特許請求の範囲】
【請求項１】
携帯電話機とカーナビゲーション装置とが通信回線で接続された情報通信システムであって、
前記カーナビゲーション装置は、前記携帯電話機から送信されてきた電話番号データに基づいてカーナビゲーションの目的地を設定することを特徴とする携帯電話機を利用した情報通信システム。
【請求項２】
携帯電話機とカーナビゲーション装置とが通信回線で接続された情報通信システムであって、
前記携帯電話機は、任意のＷｅｂページから位置情報をダウンロードして前記カーナビゲーション装置に送信し、前記カーナビゲーション装置は、前記携帯電話機から送信されてきた前記位置情報に基づいてカーナビゲーションの目的地を設定することを特徴とする携帯電話機を利用した情報通信システム。
【請求項３】
携帯電話機とカーナビゲーション装置とが通信回線で接続された情報通信システムであって、
前記カーナビゲーション装置は、設定されたルートの周辺店舗情報を検索して前記携帯電話機に送信し、前記携帯電話機は、前記カーナビゲーション装置から送信されてきた店舗情報に基づいて該当する店舗のＷｅｂページにアクセスすることを特徴とする携帯電話機を利用した情報通信システム。
【請求項４】
前記携帯電話機は、前記Ｗｅｂページからクーポン情報を取得し、前記店舗に設置されている端末との間で前記クーポン情報に関する通信を行うことを特徴とする請求項３に記載の携帯電話機を利用した情報通信システム。
【請求項５】
前記携帯電話機は、前記Ｗｅｂページからメニュー情報を取得するとともに、取得したメニュー情報を利用して注文情報を作成し、前記店舗に設置されている端末に対して前記注文情報を送信することを特徴とする請求項３に記載の携帯電話機を利用した情報通信システム。
【請求項６】
前記携帯電話機は、注文した商品を受け取った後、その支払い情報を前記端末に送信することを特徴とする請求項５に記載の携帯電話機を利用した情報通信システム。
【請求項７】
携帯電話機とカーナビゲーション装置とが通信回線で接続された情報通信システムであって、
前記カーナビゲーション装置は、設定された目的地やルートの周辺駐車場情報を検索して前記携帯電話機に送信し、前記携帯電話機は、前記カーナビゲーション装置から送信されてきた周辺駐車場情報に基づいて該当する駐車場のＷｅｂページにアクセスし、Ｗｅｂページ上で駐車場予約を行うことを特徴とする携帯電話機を利用した情報通信システム。
【請求項８】
前記携帯電話機は、駐車場への入庫時に駐車場に設置されている端末から入庫時刻データを取得するとともに、駐車場からの出庫時にこの入庫時刻データを前記端末に送信し、前記端末は、受信した入庫時刻データとこの入庫時刻データの受信時刻とに基づいて駐車料金を計算することを特徴とする請求項７に記載の携帯電話機を利用した情報通信システム。
【請求項９】
前記端末は、計算した駐車料金の情報を前記携帯電話機に送信し、前記携帯電話機は、駐車料金の支払い情報を前記端末に送信することを特徴とする請求項８に記載の携帯電話機を利用した情報通信システム。
【発明の詳細な説明】
【０００１】
【発明の属する技術分野】
本発明は、携帯電話機とカーナビゲーション装置とが例えば赤外線通信によって接続可能であるとともに、携帯電話機と店舗や駐車場に設置された端末とが例えば赤外線通信によって接続可能な携帯電話機を利用した情報通信システムに関する。
【０００２】
【従来の技術】
従来のカーナビゲーション装置は、目的地を設定するために、住所、名前、電話番号などを手で直接、あるいはリモコンを使用して入力していた。そのため、ユーザが車に乗ってから目的地の設定操作を行わなければならず、利便性に欠けるといった問題があった。
【０００３】
そこで、このような問題を解決するものとして、目的地や経由地などの地点データの入力操作を、携帯電話機を利用して行えるようにしたナビゲーション装置が提案されている（例えば、特許文献１参照）。
【０００４】
このナビゲーション装置は、ナビジーション装置側で表示される地図上の位置を特定可能な位置情報を示すコード化位置データ及びそのコード化位置データの性質を示す属性コードを組み合わせた地点設定データを、携帯電話機の電話帳メモリに記憶しておき、ユーザが車に搭乗したときに、携帯電話機とナビゲーション装置とを通信ケーブルで接続することにより、ナビゲーション装置が地点設定データを取り込んで目的地の設定を行うようになっている。この場合、ユーザは、携帯電話機を使用して、予めコード化位置データと属性コードとを入力しておく必要がある。
【０００５】
【特許文献１】
特開２００２−２２４７３号公報
【０００６】
【発明が解決しようとする課題】
このように、従来のナビゲーション装置では、ユーザが車に搭乗したときに、携帯電話機をカーナビゲーション装置に接続することで、目的地を自動的に設定できる。しかしながら、そのためには、ユーザが予め携帯電話機にコード化位置データと属性コードとを入力する必要があり、ユーザの手間という点では、カーナビゲーション装置をリモコン等で操作して目的地を直接入力するのと変わらないといった問題があった。
【０００７】
また、従来のカーナビゲーション装置では、インターネットなどで目的地を検索しても、その住所、名前、電話番号を再度手やリモコンで入力する必要があった。
【０００８】
さらに、カーナビゲーション装置に登録してある店舗などの情報は、地図や電話番号、簡単なコメントだけであり、店舗側が特典を設定したり予約を受け付けたりするなど、店舗側が新たなサービスを提供できるものではなかった。
【０００９】
本発明は係る問題点を解決すべく創案されたもので、その目的は、携帯電話機にメモリされている電話番号データやＷｅｂページから取得した位置情報に基づいてカーナビゲーション装置が自動的に目的地を設定することにより、ユーザにとって利便性に優れた情報通信システムを提供することにある。また、他の目的は、カーナビゲーション装置から得られたルート周辺の店舗情報等を携帯電話機側で有効に活用できるようにすることで、ユーザの利便性の向上を図った携帯電話機を利用した情報通信システムを提供することにある。
【００１０】
【課題を解決するための手段】
本発明の携帯電話機を利用した情報通信システムは、携帯電話機とカーナビゲーション装置とが通信回線で接続されたシステムであって、前記カーナビゲーション装置は、前記携帯電話機から送信されてきた電話番号データに基づいてカーナビゲーションの目的地を設定することを特徴とする。
【００１１】
この場合、ユーザは、目的地の電話番号データを携帯電話機に予めメモリしておき、この携帯電話機をカーナビゲーション装置の近くに置くと、自動的に携帯電話機からカーナビゲーション装置へ例えば赤外線通信で送信するように構成しておく。カーナビゲーション装置は、送信されてきた電話番号データに基づいて自動的に目的地を設定する。これにより、ユーザは、車に搭乗したときに、ただ単に携帯電話機をカーナビゲーション装置の近くに置くだけで、カーナビゲーション装置の目的地を設定できるので、極めて利便性に優れたシステムを構築することができる。
【００１２】
また、本発明の携帯電話機を利用した情報通信システムは、携帯電話機とカーナビゲーション装置とが通信回線で接続されたシステムであって、前記携帯電話機は、任意のＷｅｂページから位置情報をダウンロードして前記カーナビゲーション装置に送信し、前記カーナビゲーション装置は、前記携帯電話機から送信されてきた前記位置情報に基づいてカーナビゲーションの目的地を設定することを特徴とする。
【００１３】
すなわち、ユーザは、携帯電話機のインターネット接続機能を利用して、予めインターネット上のＷｅｂページから目的地を検索し、その位置情報をＷｅｂページから携帯電話機にダウンロードしておく。そして、この携帯電話機をカーナビゲーション装置の近くに置くと、自動的に携帯電話機からカーナビゲーション装置へ位置情報を例えば赤外線通信で送信するように構成しておく。カーナビゲーション装置は、送信されてきた位置情報に基づいて自動的に目的地を設定する。これにより、ユーザは、車に搭乗したときに、ただ単に携帯電話機をカーナビゲーション装置の近くに置くだけで、カーナビゲーション装置の目的地を設定できるので、極めて利便性に優れたシステムを構築することができる。
【００１４】
また、本発明の携帯電話機を利用した情報通信システムは、携帯電話機とカーナビゲーション装置とが通信回線で接続されたシステムであって、前記カーナビゲーション装置は、設定されたルートの周辺店舗情報を検索して前記携帯電話機に送信し、前記携帯電話機は、前記カーナビゲーション装置から送信されてきた店舗情報に基づいて該当する店舗のＷｅｂページにアクセスすることを特徴とする。
【００１５】
これにより、ユーザは、車の進行ルート上の周辺に存在する店舗が提供するインターネット上のＷｅｂページを、携帯電話機を用いて自動的に取得することができる。
【００１６】
この場合、携帯電話機は、Ｗｅｂページからクーポン情報を取得し、その店舗に到着したときに、携帯電話機を店舗の受け付けなどに設置されているレジ等の端末のそばに持って行き、例えば赤外線通信でクーポン情報を端末に送信するようにしてもよい。これにより、ユーザは、その店舗の特典を受けることができる。
【００１７】
また、携帯電話機は、Ｗｅｂページからメニュー情報を取得するとともに、取得したメニュー情報を利用して、予め注文したい商品を選んでおくことで注文情報を作成する。そして、その店舗に到着したときに、携帯電話機を店舗の受け付けなどに設置されているレジ等の端末のそばに持って行き、例えば赤外線通信で注文情報を端末に送信するようにしてもよい。これにより、ユーザは、その店舗での注文を速やかに行うことができる。この場合、商品受け取り時に支払いのためのデータ（例えば、クレジットカードの番号や銀行の口座番号等）を端末に送信することで、キャッシュレスにて支払いを済ませることができる。
【００１８】
また、本発明の携帯電話機を利用した情報通信システムは、携帯電話機とカーナビゲーション装置とが通信回線で接続されたシステムであって、前記カーナビゲーション装置は、設定された目的地やルートの周辺駐車場情報を検索して前記携帯電話機に送信し、前記携帯電話機は、前記カーナビゲーション装置から送信されてきた周辺駐車場情報に基づいて該当する駐車場のＷｅｂページにアクセスし、Ｗｅｂページ上で駐車場予約を行うことを特徴とする。
【００１９】
これにより、ユーザは、車の進行ルート上の周辺や目的地の周辺に存在する駐車場の管理会社が提供するインターネット上のＷｅｂページから、携帯電話機を用いて駐車場情報（空き情報）を自動的に取得し、例えば駐車場の予約を行うことができる。そして、その駐車場に到着したときに、携帯電話機を駐車場入口の受け付けなどに設置されているレジ等の端末に向けることにより、例えば赤外線通信で駐車場の予約情報を端末に送信するようにしてもよい。これにより、ユーザは、目的地に到着してから空きのある駐車場を探す必要が無くなり、確実に駐車場を確保することができる。
【００２０】
この場合、前記携帯電話機は、駐車場への入庫時に駐車場に設置されている端末から入庫時刻データを取得するとともに、駐車場からの出庫時にこの入庫時刻データを前記端末に送信し、前記端末は、受信した入庫時刻データとこの入庫時刻データの受信時刻とに基づいて駐車料金を計算するようにしてもよい。これにより、駐車券などを発券しなくても、駐車料金を清算してその駐車場から出ることができる。
【００２１】
この場合、前記端末は、計算した駐車料金の情報を前記携帯電話機に送信し、前記携帯電話機は、駐車料金の支払い情報（例えば、クレジットカードの番号や銀行の口座番号等）を前記端末に送信するようにしてもよい。これにより、駐車料金の支払いをキャッシュレスにて済ませることができるとともに、駐車場からの出庫も速やかに行うことができる。
【００２２】
【発明の実施の形態】
以下、本発明の実施の形態について、図面を参照して説明する。
【００２３】
＜実施形態１＞
図１は、本発明の携帯電話機を利用した情報通信システムの実施形態１の構成を示す説明図である。
【００２４】
本実施形態１の情報通信システムは、携帯電話機１１とカーナビゲーション装置１２とが赤外線通信Ｒ１によって接続可能なシステムとなっている。そのため、携帯電話機１１には、通常の機能の他に赤外線送受信部１１ａが内蔵されており、カーナビゲーション装置１２には、通常の機能の他に赤外線送受信部１２ａが内蔵されている。また、カーナビゲーション装置１２は、携帯電話機１１から送信されてきた電話番号データに基づいてカーナビゲーションの目的地を設定する機能を備えた構成となっている。
【００２５】
そして、目的地の電話番号データを携帯電話機１１に予めメモリしておき、この携帯電話機１１をカーナビゲーション装置１２の近くに置くと、自動的に携帯電話機１１からカーナビゲーション装置１２へ赤外線通信Ｒ１によって電話番号データを送信するように構成しておく。
【００２６】
このような構成としておくことにより、ユーザは、車に搭乗したときに、携帯電話機１１をカーナビゲーション装置１２の近くに置くだけでよい。これにより、カーナビゲーション装置１２は、送信されてきた電話番号データに基づいて自動的に目的地を設定する。
【００２７】
このように、ユーザは、車に搭乗したときに、ただ単に携帯電話機１１をカーナビゲーション装置１２の近くに置くだけで、カーナビゲーション装置１２の目的地を設定できるので、極めて利便性に優れたシステムを構築することができる。
【００２８】
なお、上記実施形態１では、携帯電話機１１をカーナビゲーション装置１２の近くに置くと、携帯電話機１１からカーナビゲーション装置１２に自動的に電話番号データを送信する構成としている。この構成を実現するためには、例えば、携帯電話機１１から一定時間ごとに探査信号を出力し、この探査信号を受信したカーナビゲーション装置１２が応答信号を出力するように構成する。そして、携帯電話機１１がこの応答信号を受信すると、電話番号データを送信する構成とする。この後、カーナビゲーション装置１２から受信を確認する確認信号を送信し、携帯電話機１１がこの確認信号を受信することで、以後の探査信号の送信を停止するように構成すればよい。このような構成は、以下に示す実施形態２〜実施形態５においても同様に適用することが可能である。
【００２９】
ただし、電話番号データは必ずしも自動送信する必要はなく、例えばユーザが車に搭乗したときに、携帯電話機１１の図示しない送信ボタンを押すことによって、カーナビゲーション装置１２に電話番号データを送信するようにしてもよい。このような構成は、以下に示す実施形態２〜実施形態５においても同様に適用することが可能である。
【００３０】
＜実施形態２＞
図２は、本発明の携帯電話機を利用した情報通信システムの実施形態２の構成を示す説明図である。
【００３１】
本実施形態２の情報通信システムは、携帯電話機２１とカーナビゲーション装置２２とが赤外線通信Ｒ２によって接続可能なシステムとなっている。そのため、携帯電話機２１には、通常の機能の他に赤外線送受信部２１ａが内蔵されており、カーナビゲーション装置２２には、通常の機能の他に赤外線送受信部２２ａが内蔵されている。
【００３２】
また、携帯電話機２１は、インターネット等の通信回線網Ｎを経由して任意の端末２３にアクセスする機能を備えており、端末２３のＷｅｂページから位置情報をダウンロードし、赤外線通信Ｒ２を介してカーナビゲーション装置２２に位置情報を送信するようになっている。カーナビゲーション装置２２は、携帯電話機２１から送信されてきた位置情報に基づいてカーナビゲーションの目的地を設定する。
【００３３】
このような構成としておくことにより、ユーザは、車に搭乗したときに、位置情報をすでにダウンロードしている携帯電話機２１をカーナビゲーション装置１２の近くに置くだけでよい。これにより、カーナビゲーション装置２２は、送信されてきた携帯電話機２１から送信されてきた位置情報に基づいて自動的に目的地を設定する。
【００３４】
このように、ユーザは、車に搭乗したときに、ただ単に携帯電話機２１をカーナビゲーション装置２２の近くに置くだけで、カーナビゲーション装置２２の目的地を設定できるので、極めて利便性に優れたシステムを構築することができる。
【００３５】
＜実施形態３＞
図３は、本発明の携帯電話機を利用した情報通信システムの実施形態３の構成を示す説明図である。
【００３６】
本実施形態３の情報通信システムは、携帯電話機３１とカーナビゲーション装置３２とが赤外線通信Ｒ３によって接続可能なシステムとなっている。そのため、携帯電話機３１には、通常の機能の他に赤外線送受信部３１ａが内蔵されており、カーナビゲーション装置３２には、通常の機能の他に赤外線送受信部３２ａが内蔵されている。
【００３７】
また、カーナビゲーション装置３２は、設定されたルートの周辺店舗情報を検索して携帯電話機３１に送信する機能を備えている。
【００３８】
携帯電話機３１は、インターネット等の通信回線網Ｎを経由して任意の端末３３にアクセスする機能を備えており、カーナビゲーション装置３２から送信されてきた店舗情報に基づいて、該当する店舗に設置されている端末３３のＷｅｂページに自動的にアクセスするようになっている。
【００３９】
これにより、ユーザは、車の進行ルート上の周辺に存在する店舗が提供するインターネット上のＷｅｂページを、携帯電話機３１を用いて自動的に取得することができる。
【００４０】
この場合、携帯電話機３１は、Ｗｅｂページからクーポン情報を取得し、その店舗に到着したときに、携帯電話機３１を店舗の受け付けなどに設置されているレジ等の端末３３の近くに持って行くと、赤外線通信Ｒ３によってクーポン情報を端末３３に自動的に送信するようにしてもよい。この場合、端末３３にも携帯電話機３１との間で赤外線通信Ｒ３を行うための赤外線送受信部３３ａを内蔵（外付け等でも可）しておく必要がある。これにより、ユーザは、その店舗の特典を受けることができる。
【００４１】
なお、上記実施形態３では、携帯電話機３１を端末３３の近くに置くと、携帯電話機３１から端末３３に自動的にクーポン情報を送信する構成としているが、この構成を実現するための方法については、上記実施形態１で説明した方法を採用することができる。
【００４２】
ただし、クーポン情報は必ずしも自動送信する必要はなく、ユーザが携帯電話機３１の図示しない送信ボタンを押すことによって、端末３３にクーポン情報を送信するようにしてもよい。
【００４３】
なお、携帯電話機と端末との間におけるこのような通信形態は、以下の実施形態４、実施形態５においても同様に適用可能である。
【００４４】
＜実施形態４＞
図４は、本発明の携帯電話機を利用した情報通信システムの実施形態４の構成を示す説明図である。
【００４５】
本実施形態４の情報通信システムは、携帯電話機４１とカーナビゲーション装置４２とが赤外線通信Ｒ４によって接続可能なシステムとなっている。そのため、携帯電話機４１には、通常の機能の他に赤外線送受信部４１ａが内蔵されており、カーナビゲーション装置４２には、通常の機能の他に赤外線送受信部４２ａが内蔵されている。
【００４６】
また、カーナビゲーション装置４２は、設定されたルートの周辺店舗情報を検索して携帯電話機４１に送信する機能を備えている。
【００４７】
携帯電話機４１は、インターネット等の通信回線網Ｎを経由して任意の端末４３にアクセスする機能を備えており、カーナビゲーション装置４２から送信されてきた店舗情報に基づいて、該当する店舗に設置されている端末４３のＷｅｂページに自動的にアクセスするようになっている。
【００４８】
これにより、ユーザは、車の進行ルート上の周辺に存在する店舗が提供するインターネット上のＷｅｂページを、携帯電話機４１を用いて自動的に取得することができる。
【００４９】
このとき、例えば店舗が外食産業のファーストフード店等である場合には、携帯電話機４１は、Ｗｅｂページからメニュー情報を取得するとともに、取得したメニュー情報を利用して予め注文したい商品を選んでおくことで、注文情報を作成する。この注文情報は、内部の図示しないメモリに一旦格納しておく。
【００５０】
そして、車がその店舗の例えばドライブスルーの受付窓口の前に到着したときに、携帯電話機４１をその受付窓口に設置されている端末４３の近くに持って行くと、赤外線通信Ｒ４によって注文情報を端末４３に自動的に送信するようにしてもよい。この場合、端末４３にも携帯電話機４１との間で赤外線通信Ｒ４を行うための赤外線送受信部４３ａを内蔵（外付け等でも可）しておく必要がある。これにより、ユーザは、その店舗での注文を速やかに行うことができる。
【００５１】
この場合、商品受け取り時に支払いのためのデータ（例えば、クレジットカードの番号や銀行の口座番号等）を携帯電話機４１から端末４３に送信することで、キャッシュレスにて支払いを済ませることができる。
【００５２】
＜実施形態５＞
図５は、本発明の携帯電話機を利用した情報通信システムの実施形態５の構成を示す説明図である。
【００５３】
本実施形態５の情報通信システムは、携帯電話機５１とカーナビゲーション装置５２とが赤外線通信Ｒ５によって接続可能なシステムとなっている。そのため、携帯電話機５１には、通常の機能の他に赤外線送受信部５１ａが内蔵されており、カーナビゲーション装置５２には、通常の機能の他に赤外線送受信部５２ａが内蔵されている。
【００５４】
また、カーナビゲーション装置５２は、設定された目的地やルートの周辺駐車場情報を検索して携帯電話機５１に送信する機能を備えている。
【００５５】
携帯電話機５１は、インターネット等の通信回線網Ｎを経由して任意の端末５３にアクセスする機能を備えており、カーナビゲーション装置５２から送信されてきた周辺駐車場情報に基づいて、該当する駐車場に設置されている端末５３のＷｅｂページに自動的にアクセスするようになっている。
【００５６】
これにより、ユーザは、車の目的地や進行ルート上の周辺に存在する駐車場情報（空き情報等）を、携帯電話機５１を用いて自動的に取得し、例えば駐車場の予約を行うことができる。そして、その駐車場に到着したときに、携帯電話機５１を駐車場入口の受け付けなどに設置されているレジ等の端末５３に向けることにより、赤外線通信Ｒ５によって駐車場の予約情報を端末に送信するようにしてもよい。この場合、端末５３にも携帯電話機４１との間で赤外線通信Ｒ５を行うための赤外線送受信部５３ａを内蔵（外付け等でも可）しておく必要がある。これにより、ユーザは、目的地に到着してから空きのある駐車場を探す必要が無くなり、確実に駐車場を確保することができる。
【００５７】
この場合、携帯電話機５１は、駐車場への入庫時に駐車場に設置されている端末５３から入庫時刻データを取得するとともに、駐車場からの出庫時にこの入庫時刻データを端末５３に送信するようにしてもよい。端末５３は、受信した入庫時刻データとこの入庫時刻データの受信時刻とに基づいて駐車料金を計算する。これにより、駐車券などを発券しなくても、駐車料金を清算してその駐車場から出ることができる。
【００５８】
またこの場合、端末５３は、計算した駐車料金の情報を携帯電話機５１に送信し、携帯電話機５１は、駐車料金の支払い情報（例えば、クレジットカードの番号や銀行の口座番号等）を端末５３に送信するようにしてもよい。これにより、駐車料金の支払いをキャッシュレスにて済ませることができるとともに、駐車場からの出庫も速やかに行うことができる。
【００５９】
なお、本発明の携帯電話機を利用した情報通信システムは、店舗、ファーストフード店、駐車場等といった上記各実施形態１〜５に係わる業務形態に限定されるものではなく、他の業務形態にも応用可能であり、例えば企業や公共施設の外来受付などにも適用できる。
【００６０】
【発明の効果】
本発明の携帯電話機を利用した情報通信システムによれば、カーナビゲーション装置は、携帯電話機から送信されてきた電話番号データに基づいてカーナビゲーションの目的地を設定する構成とする。また、携帯電話機は、任意のＷｅｂページから位置情報をダウンロードしてカーナビゲーション装置に送信し、カーナビゲーション装置は、携帯電話機から送信されてきた位置情報に基づいてカーナビゲーションの目的地を設定する構成とする。このような構成とすることにより、ユーザは、車に搭乗したときに、ただ単に携帯電話機をカーナビゲーション装置の近くに置くだけで、カーナビゲーション装置の目的地を設定できるので、極めて利便性に優れたシステムを構築することができる。
【００６１】
また、本発明の携帯電話機を利用した情報通信システムによれば、カーナビゲーション装置は、設定されたルートの周辺店舗情報を検索して携帯電話機に送信し、携帯電話機は、カーナビゲーション装置から送信されてきた店舗情報に基づいて該当する店舗のＷｅｂページにアクセスする構成としたので、ユーザは、車の進行ルート上の周辺に存在する店舗が提供するインターネット上のＷｅｂページを、携帯電話機を用いて自動的に取得することができる。
【００６２】
この場合、携帯電話機は、Ｗｅｂページからクーポン情報を取得し、その店舗に到着したときに、携帯電話機を店舗の受け付けなどに設置されているレジ等の端末のそばに持って行き、例えば赤外線通信でクーポン情報を端末に送信するようにしてもよい。この場合には、ユーザはその店舗の特典を受けることができる。
【００６３】
また、携帯電話機は、Ｗｅｂページからメニュー情報を取得するとともに、取得したメニュー情報を利用して、予め注文したい商品を選んでおくことで注文情報を作成し、その店舗に到着したときに、携帯電話機を店舗の受け付けなどに設置されているレジ等の端末のそばに持って行き、赤外線通信で注文情報を端末に送信するようにしてもよい。これにより、ユーザは、その店舗での注文を速やかに行うことができる。この場合、商品受け取り時に支払いのためのデータを端末に送信することで、キャッシュレスにて支払いを済ませることができる。
【００６４】
また、本発明の携帯電話機を利用した情報通信システムによれば、カーナビゲーション装置は、設定された目的地やルートの周辺駐車場情報を検索して携帯電話機に送信し、携帯電話機は、カーナビゲーション装置から送信されてきた周辺駐車場情報に基づいて該当する駐車場のＷｅｂページにアクセスし、Ｗｅｂページ上で駐車場予約を行う構成とする。これにより、ユーザは、車の進行ルート上の周辺や目的地の周辺に存在する駐車場の管理会社が提供するインターネット上のＷｅｂページから、携帯電話機を用いて駐車場情報（空き情報）を自動的に取得し、駐車場の予約等を行うことができる。
【００６５】
また、携帯電話機は、駐車場への入庫時に駐車場に設置されている端末から入庫時刻データを取得するとともに、駐車場からの出庫時にこの入庫時刻データを端末に送信し、端末は、受信した入庫時刻データとこの入庫時刻データの受信時刻とに基づいて駐車料金を計算するようにしてもよい。これにより、駐車券などを発券しなくても、駐車料金を清算してその駐車場から出ることができる。
【００６６】
この場合、端末は、計算した駐車料金の情報を携帯電話機に送信し、携帯電話機は、駐車料金の支払い情報を端末に送信するようにしてもよい。これにより、駐車料金の支払いをキャッシュレスにて済ませることができるとともに、駐車場からの出庫も速やかに行うことができる。
【図面の簡単な説明】
【図１】本発明の携帯電話機を利用した情報通信システムの実施形態１の構成を示す説明図である。
【図２】本発明の携帯電話機を利用した情報通信システムの実施形態２の構成を示す説明図である。
【図３】本発明の携帯電話機を利用した情報通信システムの実施形態３の構成を示す説明図である。
【図４】本発明の携帯電話機を利用した情報通信システムの実施形態４の構成を示す説明図である。
【図５】本発明の携帯電話機を利用した情報通信システムの実施形態５の構成を示す説明図である。
【符号の説明】
１１，２１，３１，４１，５１  携帯電話機
１１ａ，２１ａ，３１ａ，４１ａ，５１ａ  赤外線送受信部
１２，２２，３２，４２，５２  カーナビゲーション装置
１２ａ，２２ａ，３２ａ，４２ａ，５２ａ  赤外線送受信部
２３，３３，４３，５３  端末
２３ａ，３３ａ，４３ａ，５３ａ  赤外線送受信部
Ｒ１，Ｒ２，Ｒ３，Ｒ４，Ｒ５  赤外線通信
Ｎ  通信回線網（インターネット等）
【図１】
2004294310.tif 000003
【図２】
2004294310.tif 000004
【図３】
2004294310.tif 000005
【図４】
2004294310.tif 000006
【図５】
2004294310.tif 000007